(57)【要約】      （修正有）【課題】回転治具機械用チャックの回転治具機械に付設する回転治具機械用チャックを提供する。【解決手段】回転治具機械用チャック本体５内部に３ツメスクロールチャックを設け、１２０°分割して回転治具機械用チャック本体に一体的に形成された回転治具機械用チャックの台ツメ２を受ける保持台と、この保持台と同方向であって、その上部に形成された本体上部カバー兼スクロールチャック取付板兼用スクロール台ツメガイド４と、更に回転治具機械用チャック本体台ツメガイドに案内されるようにした回転治具機械用チャック台ツメと、回転治具機械用チャック台ツメに取り付ける回転治具機械用チャック上ツメ８とで回転治具機械用チャックを構成する。【選択図】図１
0003151777.tif 000002
【実用新案登録請求の範囲】
【請求項１】
回転治具機械用チャック本体内部に３ツメスクロールチャックを設け、１２０°分割して回転治具機械用チャック本体に一体的に形成された回転治具機械用チャックの台ツメを受ける保持台と、この保持台と同方向であって、その上部に形成された本体上部カバー兼スクロールチャック取付板兼用スクロール台ツメガイドと、更に回転治具機械用チャック本体台ツメガイドに案内されるようにした回転治具機械用チャック台ツメと、回転治具機械用チャック台ツメに取り付ける回転治具機械用チャック上ツメと、からなることを特徴とする回転治具機械用チャック。
【請求項２】
回転治具機械用チャックの台ツメを受ける保持台が１２０°分割で３方向にある回転治具機械用チャック本体内部に３ツメスクロールチャックを搭載し、その３ツメスクロールチャック台ツメに接続された回転治具機械用チャック台ツメが、ハンドルを用いて操作される３ツメスクロールチャックを操作することにより３ツメスクロールチャック台ツメと同時に中心もしくは外側に等しく動くことができ、回転治具機械用チャック台ツメに取り付けられた回転治具機械用チャック上ツメでワークを自動でセンタリングして把握するようにしたことを特徴とした回転治具機械用チャック。
【考案の詳細な説明】
【考案の詳細な説明】
【技術分野】
【０００１】この考案は、回転治具機械に付設する軽量の回転治具機械用チャックに関する。
【技術の背景】
【０００２】従来の３ツメスクロールチャックは機械加工への使用を前提としているため、強い把握力が求められ、それにより内部部品は大きく重くなり形状も丸型にする必要があった。（例えば非特許文献１）それを回転治具機械に装着すると、相当な質量となり、積載可能なワークが減少し、機械への負担が大きくなった。
回転治具機械用チャックは回転治具機械用チャック本体内部に小さい３ツメスクロールチャックを搭載し、回転治具機械用チャック用台ツメをガイドするのに必要な部分だけで形成するため丸型の形状にする必要がなく質量が小さく抑えることが可能となる。
通常、直径５０ｃｍのワークを３ツメスクロールチャックで掴もうとすれば、直径が６０ｃｍ位の３ツメスクロールチャックが必要となる。又、それを機械に装着した場合、ワークを掴んだ後、例えば、機械でワークを切削加工する場合には、その力が働き、それに耐えうるためにより強く掴む力が必要になり部品は大きく、重く、頑丈になる傾向がある。念のため、従来、出願人の製品で従来製造したものでは約３００ｋｇ程度の重量になる。
回転治具機械は主に、溶接や溶断に使用するために、機械からの力はほとんどかからない。通常の３ツメスクロールチャックを使用すると、重いだけで掴む力は無用の長物となってしまうから、内部に小さく掴む力も弱い３ツメスクロールチャックを入れて、掴む範囲に必要な分は回転治具機械用チャック台ツメを必要な部分だけガイドする製品として本願考案を完成したものである。
【０００３】
【非特許文献１】  ＪＩＳ  Ｂ  ６１５１−１９９３    図２
【考案の開示】
【考案の解決しようとする課題】
【０００４】回転治具機械には積載質量が予め決まっている。チャックを使用する場合は載せるワークの質量は積載質量からチャックの質量を除いた分となるため、チャックの質量を軽くするすることにより、積載可能なワークの質量を増やすようにするのがよい。
【０００５】更に、回転治具機械の回転部は、通常ベアリングが用いられており、機械寿命は搭載されているチャックの質量に影響を受ける。即ち、チャックの質量が大きければ回転治具機械の負担になり、回転治具機械の寿命を縮めることとなる。
【０００６】更にまた、回転治具機械の回転は、電気モーターにより行われており、搭載されている溶接チャックの質量が重いと、その分、電気モータの消費電気量が多く必要となるため、チャックの軽量化によりモーターサイズを小さくすることができコストの削減にもなる。
【課題を解決するための手段】
【０００７】この考案は、回転治具機械用チャック本体内部に３ツメスクロールチャックを設け、１２０°分割して回転治具機械用チャック本体に一体的に形成された回転治具機械用チャックの台ツメを受ける保持台と、この保持台と同方向であって、その上部に形成された本体上部カバー兼スクロールチャック取付板兼用スクロール台ツメガイドと、更に回転治具機械用チャック本体台ツメガイドに案内されるようにした回転治具機械用チャック台ツメと、回転治具機械用チャック台ツメに取り付ける回転治具機械用チャック上ツメと、から構成してある。
【０００８】更に、回転治具機械用チャックの台ツメを受ける台が１２０°分割で３方向にある回転治具機械用チャック本体内部に３ツメスクロールチャックを搭載し、その３ツメスクロールチャック台ツメに接続された回転治具機械用チャック台ツメが、ハンドルを用いて操作される３ツメスクロールチャックを操作することにより３ツメスクロールチャック台ツメと同時に中心もしくは外側に等しく動くことができ、回転治具機械用チャック台ツメに取り付けられた回転治具機械用チャック上ツメで溶接物を自動でセンタリングして把握する回転治具機械用チャックとしたものである。
【考案を実施するための最良の形態】
【実施例１】
【０００９】回転治具機械用チャック本体５の内部には、３ツメスクロールチャック６が内蔵され、操作ハンドル７を回転させることにより、３ツメスクロールチャック６の３ツメスクロールチャック台ツメ１が移動することにより回転治具機械用チャック上ツメ８がワーク９を把握する。【００１０】操作ハンドル７を回転させることで、三個の３ツメスクロールチャック台ツメ１を同時に且つ求心移動することによりワーク９が仮に球体又は円筒体であっても回転治具機械用チャック上ツメ８によって強力に把握せられる。回転治具機械用チャック本体５は、回転治具機械（図示は書略する）にセットされる。【００１１】３ツメスクロールチャック台ツメ１と、回転治具機械用チャック６との間に部品を無くして直接的に接続してあると共に、回転治具機械用チャック本体台ツメガイド３は上方向に持ち上がろうとする力と左右方向に動こうとする力を受け、本体上部カバー兼スクロールチャック台ツメガイド４は３ツメスクロールチャック台ツメ１左右方向に動こうとする力を受ける。【００１２】上部カバー兼スクロールチャック台ツメガイド４は、回転治具機械用チャック本体５に取り付けられおり、且つ３ツメスクロールチャック６が取り付けられている。
本体上部カバー兼スクロールチャック台ツメガイド４はの厚みは４．５ミリメートルとしてある。
【考案の効果】
【００１３】回転治具機械にはワーク取付け部に取り付けられる質量が予め、きまっているため、より軽い軽いチャックを取り付けることにより、実際に使用とするワーク質量を多くすることができる。
【００１４】軽いワークを使用する場合は、ワーク質量よりチャック自体の質量が直接回転治具に働きそれが回転部のベアリング等の負荷を軽減することになり、機械の寿命を延長させることになると共に、回転治具機械の回転用モータの容量を小さくすることができる。
【図面の簡単な説明】
【００１５】
【図１】この考案の回転治具機械用チャックの平面図
【図２】図１Ａ−Ａ線断面図
【図３】図１Ｂ−Ｂ線断面図
【符号の説明】
１．．．３ツメスクロールチャック台ツメ
２．．．回転治具機械用チャック台ツメ
３．．．回転治具機械用チャック本体台ツメガイド
４．．．上部カバー兼スクロールチャック台ツメガイド
５．．．回転治具機械用チャック本体
６．．．３ツメスクロールチャック
７．．．操作ハンドル
８．．．回転治具機械用チャック上爪
９．．．ワーク
【図１】
0003151777.tif 000003
【図２】
0003151777.tif 000004
【図３】
0003151777.tif 000005
【手続補正書】
【提出日】平成21年3月19日(2009.3.19)
【手続補正２】
【補正対象書類名】実用新案登録請求の範囲
【補正対象項目名】全文
【補正方法】変更
【補正の内容】
【実用新案登録請求の範囲】
【請求項１】
回転治具機械用チャック本体内部に３ツメスクロールチャックを設け、１２０°分割して回転治具機械用チャック本体に一体的に形成された回転治具機械用チャックの台ツメを受ける保持台と、この保持台と同方向であって、回転治具機械用チャック本体上部に形成された本体上部カバー兼スクロールチャック取付板兼用スクロール台ツメガイドと、更に回転治具機械用チャック本体台ツメガイドに案内されるようにした回転治具機械用チャック台ツメと、回転治具機械用チャック台ツメに取り付ける回転治具機械用チャック上ツメと、からなることを特徴とする回転治具機械用チャック。
【請求項２】
回転治具機械用チャックの台ツメを受ける保持台即ち回転治具機械用チャック本体が１２０°分割で３方向にある回転治具機械用チャック本体の内部に３ツメスクロールチャックを搭載し、操作ハンドルと連動するように設けられた３ツメスクロールチャック台ツメに接続された回転治具機械用チャック台ツメが、ハンドルを用いて操作される３ツメスクロールチャックを操作することにより３ツメスクロールチャック台ツメと同時に中心もしくは外側に等しく動くことができ、回転治具機械用チャック台ツメに取り付けられた回転治具機械用チャック上ツメでワークを自動でセンタリングして把握するようにしたことを特徴とした回転治具機械用チャック。
【手続補正３】
【補正対象書類名】明細書
【補正対象項目名】０００９
【補正方法】変更
【補正の内容】
【０００９】
【考案の実施の形態】
【実施例１】
回転治具機械用チャック本体、即ち保持台５の内部には、３ツメスクロールチャック６が内蔵され、操作ハンドル７を回転させることにより、３ツメスクロールチャック６の３ツメスクロールチャック台ツメ１が移動することにより回転治具機械用チャック上ツメ８がワーク９を把握する。